(57)【要約】【課題】プレストレス導入のために用いる定着具のアンカープレートとコンクリート面との摩擦等の係合力を一層高めることができ、コンクリートに対するプレストレスの導入が確実になり、作業効率を向上させることが可能なノンスリップアンカープレートを提供すること。【解決手段】  ＰＣ鋼材を挿通するためのＰＣ鋼材挿通孔１を有するアンカープレート２において、前記アンカープレート２におけるコンクリート４と接触する内側面５における前記ＰＣ鋼材挿通孔１から離れた位置に、コンクリート面に食い込ませるための突起８を設けたことを特徴とするノンスリップアンカープレート。【選択図】図３
2005090037.tif 000002
【特許請求の範囲】
【請求項１】
ＰＣ鋼材を挿通するためのＰＣ鋼材挿通孔を有するアンカープレートにおいて、前記アンカープレートにおけるコンクリートと接触する内側面における前記ＰＣ鋼材挿通孔から離れた位置に、コンクリート面に食い込ませるための突起を設けたことを特徴とするノンスリップアンカープレート。
【請求項２】
ＰＣ鋼材挿通孔を中心として対称に複数の突起が設けられていることを特徴とする請求項１に記載のノンスリップアンカープレート。
【発明の詳細な説明】
【技術分野】
【０００１】
本発明は、ＰＣ鋼材を挿通するためのＰＣ鋼材挿通孔を有するノンスリップアンカープレートに関するものである。
【背景技術】
【０００２】
従来、例えば、図４に示すようなプレストレスコンクリート橋１０の床版横組み工等において、橋軸直角方向に隣り合う各床版１０ａにプレストレスを導入して一体化する場合、ＰＣ鋼材端部の定着金具の支圧板（アンカープレート）として、図５に示すようなＰＣ鋼材挿通孔１を有するアンカープレート２を使用して、図６に示すようにＰＣ鋼撚り線３ａ等のＰＣ鋼材３の端部を緊張定着することが知られている（例えば、特許文献１〜２参照）。
【０００３】
前記のようなアンカープレート２を使用して、中心側の一本または複数層の芯線と外周側の側線を備えたＰＣ鋼材３を緊張定着する場合では、通常、アンカープレート２における床版コンクリート等のコンクリート４と接触する内側面５と、コンクリート４との摩擦力により、アンカープレート２を所定の位置に保持するような構造とされている。
【０００４】
しかし、例えば、プレストレストコンクリート橋の床版横組み工等においては、ＰＣ鋼撚り線３ａまたはＰＣ鋼棒等のＰＣ鋼材３を緊張定着する時に振動その他の理由により、前記アンカープレート２が回転することがある。
【特許文献１】特開２００１−２５４４７８号公報
【特許文献２】実公平０７−２８６５号公報
【発明の開示】
【発明が解決しようとする課題】
【０００５】
前記のように、アンカープレート２が回転すると、コンクリート４に対するプレストレスの導入が確実に導入されない恐れがあるばかりでなく、アンカープレート２を所定の位置および姿勢に戻した後、再度、緊張定着するようになり、作業効率が低下するという問題がある。
【０００６】
本発明は、プレストレスコンクリート橋床版横組み工等における横締め工等において、プレストレス導入のために用いる定着具のアンカープレートとコンクリート面との摩擦等の係合力を一層高めることができ、コンクリートに対するプレストレスの導入が確実になり、作業効率を向上させることが可能なノンスリップアンカープレートを提供することを目的とする。
【課題を解決するための手段】
【０００７】
第１発明のノンスリップアンカープレートでは、ＰＣ鋼撚り線からなるＰＣ鋼材を挿通するためのＰＣ鋼材挿通孔を有するアンカープレートにおいて、前記アンカープレートにおけるコンクリートと接触する面側における前記ＰＣ鋼材挿通孔から離れた位置に、コンクリート面に食い込ませるための突起を設けたことを特徴とする。
【０００８】
第２発明では、第１発明のノンスリップアンカープレートにおいて、ＰＣ鋼材挿通孔を中心として対称に複数の突起が設けられていることを特徴とする。
【発明の効果】
【０００９】
第１発明によると、ＰＣ鋼材を挿通するためのＰＣ鋼材挿通孔を有するアンカープレートにおけるコンクリートと接触する内側面におけるＰＣ鋼材挿通孔から離れた位置に、コンクリート面に食い込ませるための突起を設けたので、コンクリート面に対してアンカープレートの摩擦も含めて係合力が高くなり、プレストレス導入時等にアンカープレートの回転を確実に防止することができるため、プレストレスの導入をより確実に行うことができ、プレストレス導入の作業効率を向上させることができ、また、プレストレス導入後においても、アンカープレートの回転を防止できる。
【００１０】
第２発明では、ＰＣ鋼材挿通孔を中心として対称に複数の突起が設けられているので、一つの突起を設ける場合よりも、より確実にアンカープレートの回転を確実に防止することができるばかりでなく、突起による回転抵抗力も、ＰＣ鋼材挿通孔を中心とした直径方向の一方に偏ることなく、ＰＣ鋼材挿通孔を中心とした直径方向の両側で釣り合わせながら、アンカープレートを姿勢よくその回転を防止できる。
【発明を実施するための最良の形態】
【００１１】
次に、本発明を図示の実施形態に基づいて詳細に説明する。
図１は本発明のノンスリップアンカープレート１２の斜視図であり、図２（ａ）は側面図、図２（ｂ）は正面図である。図示のノンスリップアンカープレート１２は、一形態として、鋼製矩形状の鋼板により製作され、その中心部には、ＰＣ鋼撚り線またはＰＣ鋼棒等からなるＰＣ鋼材を挿通するためのＰＣ鋼材挿通孔１が設けられていると共に、これに連通するグラウト孔７または内側面５と外側面６に連通するグラウト孔７が設けられている。
【００１２】
前記のＰＣ鋼材挿通孔１の直径方向に離れた位置に、ほぼ半球状の突起８が、アンカープレート２に一体に設けられてノンスリップアンカープレート１２が構成されている。前記の突起８は、円錐状あるいは角錐状等適宜の形状でよいが、コンクリート面に食い込み可能な形状であればよい。
【００１３】
前記の突起８は、アンカープレート２のＰＣ鋼材挿通孔１から遠いほど、コンクリート４に食い込んで係止されて抵抗モーメントが大きくなるため、矩形状のアンカープレート２である場合には、その隅角部に位置するようにするとよい。
【００１４】
前記の実施形態では、ＰＣ鋼材挿通孔１を中心として、半径を同じくした対角方向の対称位置に２つ同じ形状の突起８が設けられ、このようにすると、コンクリートに食い込んだ突起８による回転抵抗力は、ＰＣ鋼材挿通孔１を中心とした直径方向の一方に偏ることなく、ＰＣ鋼材挿通孔１を中心とした直径方向の両側で釣り合わせることができる。
【００１５】
前記のノンスリップアンカープレート１２を使用した形態が図３に示されている。この場合は、コンクリート４が硬化した後に、コンクリート４にプレストレスを導入するポストテンションまたはプレテンション方式による場合で、突起８がコンクリート面に食い込み、アンカープレート２との摩擦力を含めた係合力がより高められてその回転が防止されている。
【００１６】
図３の状態は、ノンスリップアンカープレート１２の外側面６には、後方に向かって拡開するテーパー孔を有するスリーブ９がＰＣ鋼撚り線３ａに挿通された状態で、ノンスリップアンカープレート１２の外側面６に配置されると共に、ＰＣ鋼撚り線３ａと前記スリーブ９のテーパー孔との間に、円弧状断面の複数の楔片１１が挿入され、ＰＣ鋼材クランプを有する緊張用ジャッキ（図示を省略した）により、ＰＣ鋼材３（３ａ）が緊張された状態で、スリーブ９の前面がノンスリップアンカープレート１２の外側面６に係合されると共に、スリーブ９とＰＣ鋼材３との間に楔片１１が圧入されている状態である。
【００１７】
本発明を実施する場合、アンカープレート２に一つの突起８を設けてノンスリップアンカープレート１２を構成してもよいが、ＰＣ鋼材挿通孔１を中心として対称位置に対をなす突起８を、少なくとも１組以上設けるようにしたノンスリップアンカープレート１２とすると、一つの突起８を設ける場合よりも、より確実にアンカープレート２の回転を確実に防止することができるばかりでなく、突起８による回転抵抗力も、ＰＣ鋼材挿通孔１を中心とした直径方向の一方に偏ることなく、ＰＣ鋼材挿通孔１を中心とした直径方向の両側で釣り合わせながら、回転を防止できる。
【００１８】
アンカープレート２におけるＰＣ鋼材挿通孔１を中心として対称位置に対をなす突起８を、複数組設けてノンスリップアンカープレート１２を構成する場合、ＰＣ鋼材挿通孔１の周囲に、等角度間隔をおいて設けるようにすればよい。
【００１９】
図示の実施形態では、ＰＣ鋼撚り線３ａの場合を図示したが、本発明を実施する場合、ＰＣ鋼棒等のＰＣ鋼材に適用してもよい。
【図面の簡単な説明】
【００２０】
【図１】本発明のノンスリップアンカープレートを示す斜視図である。
【図２】（ａ）は本発明のノンスリップアンカープレートの側面図、（ｂ）はノンスリップアンカープレートをコンクリートと接触する内側面から見た正面図である。
【図３】本発明のノンスリップアンカープレートを使用して、ＰＣ鋼撚り線を緊張定着している状態を示す縦断側面図である。
【図４】プレストレスコンクリート橋の床版に、橋軸直角方向にＰＣ鋼材を挿通配置して、緊張定着している状態を示す縦断正面図である。
【図５】従来のアンカープレートを示すものであって、（ａ）はアンカープレートの側面図、（ｂ）はアンカープレートをコンクリートと接触する内側面から見た正面図である。
【図６】従来のアンカープレートを使用して、ＰＣ鋼撚り線を緊張定着している状態を示す縦断側面図である。
【符号の説明】
【００２１】
１  ＰＣ鋼材挿通孔
２  アンカープレート
３  ＰＣ鋼材
４  コンクリート
５  内側面
６  外側面
７  グラウト孔
８  突起
９  スリーブ
１０  プレストレスコンクリート橋
１１  楔片
１２  ノンスリップアンカープレート
【図１】
2005090037.tif 000003
【図２】
2005090037.tif 000004
【図３】
2005090037.tif 000005
【図４】
2005090037.tif 000006
【図５】
2005090037.tif 000007
【図６】
2005090037.tif 000008